(57)【要約】広範囲の子供サイズに適合するように調節可能であるが、使用が簡単であり、かつ子供および装着者の両方のために快適である、チャイルドキャリアのためのハーネス。ハーネスは、子供の胴体を取り囲むための繋留ラインを含む。ループが、繋留ラインの一端に配置される。繋留ラインの反対端は、このループを通され、子供の胴体を取り囲むための子供繋留エリアを生成し得る。ループと反対の繋留ラインの端部は、チャイルドキャリアに接合される。子供繋留エリアは、したがって、子供の肩、腕、もしくは脚の妨げにならずに、またはチャイルドキャリア内の子供の位置に影響を及ぼさずに、子供を（例えば、チャイルドキャリア、したがって、装着者に）繋ぎ留めることができる。加えて、繋留ラインの調節は、ハーネスが、広範囲の子供サイズに適合することを可能にする。
2018510728.tif 000002
【特許請求の範囲】
【請求項１】
チャイルドキャリアのためのハーネスシステムであって、
前記ハーネスシステムは、繋留ラインを備えているハーネスを備え、前記繋留ラインは、ループを一端に有し、ハーネス取り付け点を前記ループの反対側に有し、
前記ハーネス取り付け点は、前記チャイルドキャリア上の対応するキャリア取り付け点に結合するためのものであり、前記繋留ラインの長さは、調節可能である、
ハーネスシステム。
【請求項２】
前記繋留ラインは、ポリエステルの帯ひもを備えている、請求項１に記載のハーネスシステム。
【請求項３】
前記繋留ラインの少なくとも一部を覆うスリーブをさらに備えている、請求項１に記載のハーネスシステム。
【請求項４】
前記スリーブは、リップストップナイロンを備えている、請求項３に記載のハーネスシステム。
【請求項５】
前記スリーブは、パッド詰めされた材料を備えている、請求項３に記載のハーネスシステム。
【請求項６】
締め付け部分を前記ハーネス取り付け点の近傍に含み得、前記締め付け部分は、前記繋留ラインに取り付けられていない、請求項３に記載のハーネスシステム。
【請求項７】
前記ハーネス取り付け部は、サイドリリースバックルの少なくとも一部を備えている、請求項１に記載のハーネスシステム。
【請求項８】
前記ハーネスは、前記子供の胴体の周囲に設置されることによって子供を繋ぎ留め得、前記子供の肩、腕、または脚を負担のない状態にしておく、請求項１に記載のハーネスシステム。
【請求項９】
前記ハーネスは、子供の胴体のみに係合する、請求項１に記載のハーネスシステム。
【請求項１０】
前記繋留ラインの長さは、種々のサイズの子供に適合するように調節可能である、請求項１に記載のハーネスシステム。
【請求項１１】
前記チャイルドキャリアに結合されるアンカ部分をさらに備え、
前記アンカ部分は、
ある長さの可撓性材料と、
前記ハーネス取り付け点に対応するキャリア取り付け点であって、前記キャリア取り付け点は、前記ハーネス取り付け点に結合するためのものである、キャリア取り付け点と、
前記アンカ部分を前記チャイルドキャリアに結合するための留め具の組と
を備えている、請求項１に記載のハーネスシステム。
【請求項１２】
チャイルドキャリアシステムであって、前記チャイルドキャリアシステムは、
チャイルドキャリアと、
繋留ラインを備えているハーネスと
を備え、
繋留ラインは、ループを一端に有し、ハーネス取り付け点を前記ループの反対側に有し、
前記ハーネス取り付け点は、前記チャイルドキャリア上の対応するキャリア取り付け点に結合するためのものである、
チャイルドキャリアシステム。
【請求項１３】
前記繋留ラインの少なくとも一部を覆うスリーブをさらに備えている、請求項１２に記載のチャイルドキャリアシステム。
【請求項１４】
締め付け部分を前記ハーネス取り付け点の近傍に含み得、前記締め付け部分は、前記繋留ラインに取り付けられていない、請求項１３に記載のチャイルドキャリアシステム。
【請求項１５】
前記ハーネス取り付け部は、サイドリリースバックルの少なくとも一部を備えている、請求項１２に記載のチャイルドキャリアシステム。
【請求項１６】
前記ハーネスは、前記子供の胴体の周囲に設置されることによって子供を繋ぎ留め得、前記子供の肩、腕、または脚を負担のない状態にしておく、請求項１２に記載のチャイルドキャリアシステム。
【請求項１７】
前記ハーネスは、子供の胴体のみに係合する、請求項１２に記載のチャイルドキャリアシステム。
【請求項１８】
前記繋留ラインの長さは、種々のサイズの子供に適合するように調節可能である、請求項１２に記載のチャイルドキャリアシステム。
【請求項１９】
前記チャイルドキャリアに結合されるアンカ部分をさらに備え、
前記アンカ部分は、
ある長さの可撓性材料と、
前記ハーネス取り付け点に対応するキャリア取り付け点と
前記アンカ部分を前記チャイルドキャリアに結合するための留め具の組と
を備えている、請求項１２に記載のチャイルドキャリアシステム。
【請求項２０】
チャイルドキャリアのためのハーネスであって、前記ハーネスは、
ハーネスであって、前記ハーネスは、
ループを一端に有し、ハーネス取り付け点を前記ループの反対側に有する繋留ラインであって、前記ハーネス取り付け点は、前記チャイルドキャリア上の対応するキャリア取り付け点に結合するためのものである、繋留ラインと、
前記繋留ラインの少なくとも一部を覆うスリーブと
を備え、前記繋留ラインの長さは、調節可能である、ハーネスと、
前記チャイルドキャリアに結合されるアンカ部分であって、前記アンカ部分は、
ある長さの可撓性材料と、
前記ハーネス取り付け点に対応するキャリア取り付け点であって、前記キャリア取り付け点は、サイドリリースバックルの一部を備えている、キャリア取り付け点と、
前記アンカ部分を前記チャイルドキャリアに結合するための留め具の組と
を備えている、アンカ部分と
を備えている、チャイルドキャリアのためのハーネス。
【発明の詳細な説明】
【技術分野】
【０００１】
（関連出願）
本願は、米国仮特許出願第６２／１４５，７０３号（２０１５年４月１０日出願、Ｔｅｌｆｏｒｄ、名称「ＣＨＩＬＤ  ＣＡＲＲＩＥＲ  ＨＡＲＮＥＳＳ  ＤＥＶＩＣＥ  ＡＮＤ  ＳＹＳＴＥＭ」）に対する米国特許法§１１９に基づく優先権の利益を主張し、上記出願は、参照により本明細書にその全体が組み込まれる。
【０００２】
（技術分野）
本開示は、チャイルドキャリアに関する。より具体的には、本開示は、子供をキャリア内に繋ぎ留めるためのシステムに関する。さらにより具体的には、本開示は、子供もしくは装着者の快適性、キャリアの機能性、または運ばれている子供の位置に悪影響を及ぼさないように、子供をキャリア内に繋ぎ留めるためのデバイスに関する。
【背景技術】
【０００３】
現在、キャリア内に固定された子供を運搬しながら、装着者に手および腕の移動の自由を与えるいくつかの装着式チャイルドキャリアが市場に存在する。これらのチャイルドキャリアは、概して、子供をキャリア内に特に繋ぎ留めるための特徴を提供しない。いくつかの管轄区域では、チャイルドキャリアとの使用（またはその一部としての使用）のために提供されるべき繋留特徴を要求する規格が、施行されている。必要とされるものは、したがって、子供またはキャリアの装着者の快適性に悪影響及ぼさず、キャリアの機能性を妨害せず、かつ運ばれている子供の位置に影響を及ぼさないように、子供をチャイルドキャリア内に繋ぎ留めるためのデバイスおよびシステムである。
【発明の概要】
【課題を解決するための手段】
【０００４】
それらの目的のために、とりわけ、本明細書に開示される実施形態は、子供をチャイルドキャリアに繋ぎ留めるためのハーネスを提供する。ハーネスは、子供の胴体を取り囲むための繋留ラインを含む。ループが、繋留ラインの一端に配置される。繋留ラインの反対端は、このループを通され、子供の胴体を取り囲む子供繋留エリアを生成し得る。ループの反対の繋留ラインの端部は、チャイルドキャリアに接合される。子供繋留エリアは、したがって、子供の肩、腕、もしくは脚を妨げないように、またはチャイルドキャリア内の子供の位置に影響を及ぼさないように、子供を（例えば、チャイルドキャリア、したがって、装着者に）繋ぎ留めることができる。加えて、繋留ラインの調節は、ハーネスが広範囲の子供サイズに適合することを可能にする。
【０００５】
子供がチャイルドキャリアから変位させられると、子供の体重（例えば、キャリアによって支持されない子供の体重の一部）は、子供繋留エリアを子供の胴体の周囲に締め付けるように作用する。特に、繋留ラインに作用する子供の体重は、繋留ラインをループを通して移動させ、子供を取り囲む子供繋留エリアの直径を縮小させる役割を果たす。子供繋留エリアは、したがって、チャイルドキャリアの装着者からの子供の最大変位点を限定することによって、子供を締め付け、子供を繋ぎ留める。このように、子供は、子供の胴体の周囲のみに設置されたハーネスによって繋ぎ留められ、子供の腕、肩、または脚を拘束せずに自由にし、キャリア内の子供の位置付けに関するいかなる干渉も低減または排除し得る
【０００６】
一実施形態では、ループの反対の繋留ラインの端部は、チャイルドキャリア上の対応するキャリア取り付け点に結合するためのハーネス取り付け点を含み得る。キャリア取り付け点は、そのような取り付け点として特に設計された特徴であり得るか、またはチャイルドキャリアの既存の特徴を利用し得る。特定の実施形態では、例えば、キャリア取り付け点は、チャイルドキャリアの腰ベルトであり得る。腰ベルト等のチャイルドキャリアの既存の特徴をキャリア取り付け点として利用することによって、そのようなハーネスの実施形態は、そのようなハーネスを元々含んでいないものや、そのようなハーネスと共に使用するために元々設計されていないチャイルドキャリアをも含め、様々なキャリアと共に容易に使用され得る。
【０００７】
具体的には、ハーネスシステムの実施形態は、キャリアに取り付けられ、ハーネスのハーネス取り付け点を取り付けるためのキャリア取り付け点を提供し得るアンカ部分を含む。アンカ部分は、ある長さの可撓性材料から作製され得、ハーネスのハーネス取り付け点に対応するキャリア取り付け点を含み得る。一実施形態では、例えば、ハーネスシステムは、腰ベルトアンカ部分を含み得る。腰ベルトアンカ部分は、チャイルドキャリアの腰ベルトに結合され得る。例えば、一実施形態では、腰ベルトアンカ部分は、チャイルドキャリアの腰ベルトを取り囲み、一緒に留められると、腰ベルトアンカ部分がチャイルドキャリアの腰ベルトの周囲にループを形成することを可能にする、対応する留め具を含むように構成され得る。
【０００８】
一特定の実施形態では、異なるサイズの腰ベルトを伴うチャイルドキャリアに適応するために、腰ベルトアンカ部分は、複数の対応する留め具の組を含み、腰ベルトアンカ部分によって形成されるループが、必要に応じて、より大きくまたはより小さく作製されることを可能にし得る。
【０００９】
腰ベルトアンカ部分の実施形態はまた、ハーネスのハーネス取り付け点に結合するためのキャリア取り付け点を提供し得る。特に、一実施形態では、腰ベルトアンカ部分およびハーネス取り付け点の各々は、互いに結合および結合解除され得るように、対応する留め具を含み得る。この配列は、ハーネスが、子供上に設置され、子供が、ハーネスが腰ベルトアンカ部分に結合される前または後、随時、キャリア内に据え置かれることを可能にする。故に、子供のキャリアおよびハーネスの両方の中への出し入れが、促進され得る。一実施形態では、ハーネスは、繋留ラインの少なくとも一部を覆うスリーブを有し、例えば、追加の快適性を子供に提供し、繋留ラインを保護し、またはハーネスのループを通した繋留ラインの移動を促進し得る。スリーブは、リップストップナイロンから作製され得、および／またはパッド詰めされた材料を含み得る。スリーブは、繋留ラインの一部に取り付けられ得、締め付け部分をハーネス取り付け点の近傍に含み得、その場合、締め付け部分は、繋留ラインに取り付けられていない。この締め付け部分は、したがって、子供が装着者から離れるように移動するにつれて、ハーネスの締め付けに干渉せずに、ループを通した繋留ラインの通過を促進し得る。
【００１０】
故に、本明細書に開示されるようなハーネスシステムの実施形態は、多くの利点を有し得る。例えば、そのようなハーネスシステムの実施形態は、小型形状を有し得、したがって、子供またはキャリアの装着者のいずれにも邪魔にならないであろう。加えて、これらのハーネスシステムは、子供がキャリア内に居る間、子供の移動が制限されないように、低拘束性であり得る。本明細書に開示されるようなハーネスシステムのさらなる利点は、ハーネスが現在利用可能な他のデバイスよりも使用が単純かつ容易であり得ることである。特に、そのようなハーネスシステムの実施形態は、チャイルドキャリア内に設置される前または後のいずれかにおいて、子供がハーネス内に設置されることを可能にし得る。さらに、子供は、ハーネスがキャリア自体に結合される前または後のいずれかにおいて、ハーネス内に設置され得る。そのような多用途性は、子供をハーネスシステムおよびチャイルドキャリア内に据え置くための様々なオプションを可能にする。追加の利点として、ハーネスシステムの実施形態の使用は、チャイルドキャリア自体の動作または使用を妨害しない。特に、そのようなハーネスシステムの使用は、キャリア内への子供の位置付けに影響を及ぼさない。したがって、子供を人間工学的位置（例えば、開脚し、しゃがんだ位置等）に設置するように設計されたチャイルドキャリアと共に使用されるとき、そのようなハーネスの使用は、子供の人間工学的位置付けに影響を及ぼさない。さらに別の利点は、ハーネスが、子供の体重に基づいて作用し、子供がキャリアから離れるように移動するときのみ、締め付け、キャリア内に居る間、子供の快適性を増加させることである。さらに別の利点は、開示されるようなハーネスシステムが、適切な適合のために多数の調節を要求せず、また、広範囲の子供サイズに容易に適応し得ることである。
【図面の簡単な説明】
【００１１】
付随の本明細書の一部を形成する図面は、本実施形態のある側面を図示するために含まれる。開示される実施形態ならびに実施形態とともに提供されるデバイスおよびシステムの種々の構成要素ならびに動作のより明確な印象は、同じ参照番号が全体を通して同一構成要素を示す、図面に示される具体的実施形態を参照することによって、より明白となるであろう。図面に図示される特徴は、必ずしも、正確な縮尺で描かれていないことに留意されたい。
【００１２】
【図１】図１は、ハーネスシステムの一実施形態を示す。
【００１３】
【図２】図２は、ハーネスシステムの要素の一実施形態を示す。
【００１４】
【図３】図３は、ハーネスの一実施形態とともに、幼児を示す。
【００１５】
【図４】図４は、ハーネスシステムの要素の一実施形態を示す。
【００１６】
【図５】図５は、ハーネスシステムの腰ベルトアンカの一実施形態を示す。
【００１７】
【図６】図６は、チャイルドキャリアの腰バンドに結合されたハーネスシステムの腰ベルトアンカの一実施形態を示す。
【００１８】
【図７】図７は、チャイルドキャリア内の子供と共に使用されるハーネスシステムの一実施形態を示す。
【発明を実施するための形態】
【００１９】
本開示ならびにその種々の特徴および有利な詳細は、付随の図面に図示され、以下の説明に詳述される、例示的であり、したがって、非限定的である実施形態を参照することによって、より完全に説明される。公知の開始材料およびプロセスの説明は、本開示を不必要に詳細に曖昧にしないように省略され得る。しかしながら、詳細な説明および具体的実施例は、好ましい例示的実施形態を示すが、限定ではなく、例証としてのみ与えられることを理解されたい。根本的本発明の概念の精神および／または範囲内にある、種々の代用、修正、追加、ならびに／もしくは並べ替えは、本開示から当業者に明白となるであろう。
【００２０】
本明細書で使用される場合、用語「ｃｏｍｐｒｉｓｅｓ（備えている）」、「ｃｏｍｐｒｉｓｉｎｇ（備えている）」、「ｉｎｃｌｕｄｅｓ（含む）」、「ｉｎｃｌｕｄｉｎｇ（含む）」、「ｈａｓ（有する）」、「ｈａｖｉｎｇ（有する）」、またはその任意の他の文脈上の変形は、非排他的包含を対象とすることが意図される。例えば、要素のリストを備えている、プロセス、製品、物品、または装置は、必ずしも、それらの要素のみに限定されず、明示的に列挙されていない、もしくはそのようなプロセス、製品、物品、または装置に固有の他の要素を含み得る。さらに、それとは反対であることが明示的に示されない限り、用語「ｏｒ（または）」は、包括的「または」を指し、排他的「または」を指すものではない。例えば、条件「ＡまたはＢ」は、以下のうちの任意の１つによって充足される：Ａは、真（または、存在）であり、Ｂは、偽（または、不在）である、Ａは、偽（または、不在）であり、Ｂは、真（または、存在）である、ならびにＡおよびＢの両方が、真（または、存在）である。
【００２１】
本明細書で使用される場合、用語「留め具」、「留め」、およびその任意の文脈上の均等物もしくは変形は、当技術分野において現在公知であるか、または今後説明されるかどうかにかかわらず、例えば、ボタン、スナップ、Ｄリング、クリップ、フック、面ファスナー材料のパッチ（例えば、Ｖｅｌｃｒｏ（登録商標）等）、もしくは任意の他の固定機構等の任意のタイプの固定機構を指し得る。
【００２２】
加えて、本明細書に与えられる任意の実施例または例証は、それらが利用される任意の用語もしくは複数の用語の定義を制限、限定、または表現するものといかようにも見なされるものではない。代わりに、これらの実施例または例証は、特定の実施形態に関して説明され、例証的にすぎないものと見なされるものである。当業者は、これらの実施例または例証が利用される、任意の用語もしくは複数の用語が、それとともに、または本明細書のいずれかにおいて与えられ得るか、または与えられない場合がある、他の実施形態ならびにその実装および／もしくは適合を包含し得、全てのそのような実施形態が、本開示の範囲内に含まれるべきことが意図されることを理解されるであろう。そのような非限定的実施例および例証を指定する言語は、限定ではないが、「ｆｏｒ  ｅｘａｍｐｌｅ（例えば）」、「ｆｏｒ  ｉｎｓｔａｎｃｅ（例として）」、「ｅ．ｇ．（等）」、「ｉｎ  ｏｎｅ  ｅｍｂｏｄｉｍｅｎｔ（一実施形態では）」、「ａｎ  ｅｍｂｏｄｉｍｅｎｔ（ある実施形態）」等を含む。
【００２３】
従来のチャイルドキャリアは、子供をチャイルドキャリア内に特に繋ぎ留めるための手段を提供しない。いくつかの最近の規格は、製造業者がそのような繋ぎ留め具を提供することを要求している。しかしながら、現在利用可能なデバイスは、使用が厄介であり得、子供の腕および肩の移動を妨げ、かつ不快感を生じさせ、人間工学的に有利な位置を促進するキャリアと共に使用されるとき、子供が人そのような位置を達成することを妨害し得る。加えて、現在のデバイスは、キャリアの機能性を妨害し得るか、または小範囲の子供サイズのみに適合し、したがって、子供が成長するにつれて、複数のデバイスを要求し得る。
【００２４】
本明細書に開示される実施形態は、広範囲の子供サイズに適合するように調節可能であるが、使用が容易であり、子供および装着者の両方のために快適である、チャイルドキャリアのためのハーネスを提供する。ハーネスは、子供の胴体を取り囲むための繋留ラインを含む。繋留ラインの一端は、繋留ラインの他端を通すためのループを有し、子供を取り囲むためのエリアを生成し得る。ループの反対の繋留ラインの端部は、チャイルドキャリアに取り付けられ、それによって、子供を拘束し得る。
【００２５】
本明細書に開示されるもの等のハーネスシステムを利用し得る、チャイルドキャリアの実施例は、Ｆｒｏｓｔによって２００４年９月９日に出願され、「ＢＡＢＹ  ＣＡＲＲＩＥＲ」と題された米国特許出願第１０／９３７，１９３号（現米国特許第７，３２２，４９８号）、Ｔｅｌｆｏｒｄ、他によって２０１４年３月１３日に出願され、「ＣＨＩＬＤ  ＣＡＲＲＩＥＲ」と題された米国特許出願第１４／２０９，５８０号（現米国特許第９，１８５，９９３号）、およびＦｒｏｓｔによって２００９年８月１９日に出願され、「ＩＮＦＡＮＴ  ＣＡＲＲＩＥＲ」と題された米国特許出願第１２／５４４，０９３号（現米国特許第９，２２０，３５２号）に見出され得、参照することによって本明細書に組み込まれる。
【００２６】
ここで図１を参照すると、一実施形態によるチャイルドキャリアハーネスシステム１００は、ハーネス１２０と、腰ベルトアンカ部分１６０とを備えている。ハーネス１２０は、子供の胴体の周囲に適合するように設計され得る。腰ベルトアンカ部分１６０は、ハーネス１２０をチャイルドキャリアに接続するために使用され得る。ハーネス１２０はまた、直接チャイルドキャリアに取り付けること等によって、腰ベルトアンカ部分１６０を用いずに使用され得る。
【００２７】
一実施形態では、ハーネス１２０は、子供の腰または胴体を取り囲むためのエリア１３０を画定するハーネスループ１２２を備えている。ハーネスループ１２２は、少なくとも部分的にスリーブ１２７によって覆われた繋留ライン１２６を備え得る。繋留ライン１２６は、チャイルドキャリアに固定され得る第１の端部と、往復動ループ１２４を有する第２の端部とを備え得る。繋留ライン１２６は、往復動ループ１２４を通り、子供の胴体を取り囲むためのエリア１３０を生成する。ハーネス１２０は、次いで、任意の手段を使用して、任意の好適な点に繋ぎ留められ得る。ハーネス１２０は、直接または腰ベルトアンカ部分１６０等の中間部品の使用を通して、キャリア（または装着者）に取り付けられ得る。
【００２８】
腰ベルトアンカ部分１６０は、チャイルドキャリアの腰ベルト（例えば、図５および６に描写される）への取り付けのために適合または別様に好適に構成され得る。一実施形態では、腰ベルトアンカ部分１６０は、ハーネス１２０をチャイルドキャリアに繋ぎ留めるための手段を提供し得る。
【００２９】
一実施形態では、ハーネス１２０内に繋ぎ留められた子供がチャイルドキャリアの装着者から離れるように移動すると、繋留ライン１２６は、往復動ループ１２４から腰ベルトアンカ部分１６０に向かって移動する。繋留ライン１２６が往復動ループ１２４から移動するにつれて、締め付け部分１２８は、圧縮され、子供の腰／胴体を取り囲むためのエリア１３０の直径を縮小しながら、繋留ライン１２６の長さに沿った往復動ループ１２４の進行を促進する。これは、子供を繋ぎ留め、チャイルドキャリアの装着者からの運ばれる子供の最大変位点を限定する。子供がキャリアの装着者により近づくように移動されるにつれて、繋留ライン１２６は、往復動ループ１２４の中に移動する。すなわち、締め付け部分は、延長され、子供の腰／胴体を取り囲むためのエリア１３０の直径を増加させ、それによって、子供が装着者により近づくと、エリア１３０内により多くの空間を提供しながら、繋留ライン１２６の長さに沿った往復動ループ１２４の進行を促進する。
【００３０】
いくつかの状況では、ハーネス１２０は、子供の全体重を保持し得る。子供の体重は、子供の胴体の周囲のエリア１３０を締め付けるように作用する。ハーネスループ１２２は、特に、子供がおむつを装着している場合、子供の臀部、脚、または骨盤を捉え得、子供をハーネス内に保持し得る。エリア１３０は、子供を保持するために子供の胴体のサイズまで縮小する必要はなく、「涙滴」形状を形成し得る。
【００３１】
腰ベルトアンカ部分１６０は、例えば、チャイルドキャリアの腰バンドの周囲に巻き付くためのアンカ舌状部１６２を備えている。アンカ舌状部１６２が、キャリアの腰バンドの周囲に巻き付けられる場合、アンカ舌状部締まり嵌めスナップ１６４が、下側アンカ締まり嵌めスナップ１６６と係合され、または、より長い胴体もしくはより大きい／より小さい幅腰バンドを有するチャイルドキャリアの装着者の場合、上側アンカ締まり嵌めスナップ１６８と係合され得る。図１に描写される実施形態は、締まり嵌めスナップ１６４、１６６、１６８、および１７０を示すが、当技術分野において現在公知であるか、または今後説明されるかどうかにかかわらず、任意の留め手段が、代替として、併せて、または連続して採用され得る。
【００３２】
上側アンカ締まり嵌めスナップ１７０は、概して、腰ベルトアンカ部分１６０をチャイルドキャリアの腰バンドに固定するために意図されない。本明細書に開示される実施形態では、上側アンカ締まり嵌めスナップ１７０の機能は、図２を参照して以下により完全に説明される。
【００３３】
アンカ舌状部１６２はさらに、例えば、装着者の胴体の長さに応じて、アンカフラップ１９０の長さに沿った面ファスナー材料１８２、１８４の対応するパッチとの係合のために意図される面ファスナー材料１８０のパッチを備え得る。すなわち、装着者は、装着者が腰ベルトアンカ部分１６０をチャイルドキャリアの腰バンドまたは腰ベルトに取り付けるとき、下側アンカ面ファスナーパッチ１８２または上側アンカ面ファスナーパッチ１８４を選択し得る。
【００３４】
示されるように、アンカフラップ１９０は、アンカフラップ帯ひもまたはライン（例えば、図１のアンカフラップ１９０の反対側；図示せず）をアンカフラップ１９０に固定するための取り付け点１７５（例えば、縫合パッチまたは他の留め手段）を備え得る。アンカフラップ帯ひも／ラインのさらなる説明は、下の図２および４の議論に詳述されるであろう。
【００３５】
ここで図２を参照すると、描写されるように、運ばれる子供の腰／胴体を取り囲むためのエリア１３０の直径は、繋留ライン１２６が往復動ループ１２４から移動されるにつれて、締め付け部分１２８の対応する圧縮に伴って縮小されている（例えば、図２における締め付け部分１２８に対応する集められたハーネスループ１２２材料参照）。
【００３６】
繋留ライン１２６は、最小限の縦方向弾性を提供するが、子供の胴体を快適に囲むように、横方向に可撓性であり得る。繋留ライン１２６は、任意の好適な材料または材料の組み合わせから作製され得る。一実施形態では、繋留ライン１２６は、ポリエステルの帯ひもから作製され得る。
【００３７】
図２に示されるように、繋留ライン１２６は、ハーネス取り付け部２００に取り付けられ得る。ハーネス取り付け部２００は、サイドリリースバックルの一部であり得る。ハーネス取り付け部は、限定ではないが、バックル、留め具、カラビナ、またはスナップフックを含む、繋留ライン１２６を除去可能に取り付ける任意の他の好適な手段であり得る。別の実施形態では、繋留ライン１２６は、キャリアに非除去可能に取り付けられ得る。
【００３８】
繋留ライン１２６は、エリア１３０を変化させるように調節可能であり得る。調節は、ハーネスループ１２２が広範囲の子供サイズに適合することを可能にするために有用であり得る。調節は、ハーネスを子供に設置すること、またはハーネスを子供から除去することを容易にするためにも有用であり得る。
【００３９】
繋留ライン１２６の長さの調節は、ハーネス取り付け部２００の特徴によって促進され得る。一実施形態では、繋留ライン１２６は、繋留ライン１２６の自由端の引き込みが、ハーネス取り付け部２００と往復動ループ１２６との間の繋留ラインの長さを短縮するように、ハーネス取り付け部２００を通され得る。
【００４０】
一実施形態では、ハーネスループ１２２はさらに、スリーブ１２７を備えている。スリーブ１２７は、繋留ライン１２６の少なくとも一部を覆い得、パッド詰めされた材料を備え、追加の快適性を子供または装着者に提供し得る。一実施形態では、スリーブ１２７は、３−Ｄメッシュを備えている。パッドは、スリーブ１２７と繋留ライン１２６との間にも設置され得る。一実施形態では、スリーブ１２７と繋留ライン１２６との間のパッドは、３−Ｄメッシュを備えている。
【００４１】
スリーブ１２７は、スリーブ１２７を繋留ライン１２６に縫合すること等によって、繋留ライン１２６に取り付けられ得る。スリーブ１２７の一部は、繋留ライン１２６に取り付けられないこともある。例えば、往復動ループ１２４の遠位のスリーブ１２７の一部は、繋留ライン１２６に取り付けられないこともあり、締め付け部分１２８と称され得る。
【００４２】
締め付け部分１２８は、繋留ライン１２６の長さ（例えば、ストラップまたは帯ひもの長さ）に沿って縦方向に拡張もしくは圧縮され得るスリーブ１２７の一部を備え得る。締め付け部分１２８は、繋留ライン１２６が直接子供に接触することを防止することによって、追加の快適性を子供に提供し得る。締め付け部分１２６は、繋留ライン１２６に取り付けられないので、締め付け部分１２８は、仮にあるとしても、繋留ライン１２６に沿った往復動ループ１２４の移動に関し、最小限に干渉し得る。
【００４３】
往復動ループ１２４は、繋留ライン１２６がそれを通して容易にスライドすることを可能にするようにサイズを決定され得、往復動ループ１２４は、繋留ライン１２６および／またはスリーブ１２７から形成され得る。往復動ループ１２４は、繋留ライン１２６に取り付けられる別個の部分としても形成され得る。一実施形態では、往復動ループ１２４は、繋留ライン１２６に縫合され得る。任意の好適な材料が、往復動ループ１２４を形成するために使用され得る。しかしながら、子供の胴体の周囲へのハーネスループの締め付けを容易にするために、繋留ライン１２６のために使用される材料との低摩擦係数を有する材料を使用することが好ましい。
【００４４】
一実施形態では、ハーネス１２０は、アンカフラップ取り付け部２１０に取り付き得る。アンカフラップ取り付け部２１０は、サイドリリースバックルの一部を構成し得る。アンカフラップ取り付け部２１０は、子供を保持するために好適な任意の点に取り付けられ得る。例えば、アンカフラップ取り付け部２１０は、直接キャリアに取り付けられ得るか、または腰ベルトアンカ部分１６０等のその中間部分を使用してキャリアに取り付けられ得る。
【００４５】
図２に示されるように、アンカフラップ１９０は、アンカフラップ取り付けカバー２２０を含む特徴を備え得、アンカフラップ取り付けカバー２２０は、ハーネス取り付け部２００およびアンカフラップ取り付け部２１０を覆うために、上側アンカ締まり嵌めスナップ１７０（または他の留め手段）との対応する係合のための取り付けカバー締まり嵌めスナップ２２５（または他の留め手段）を伴う。種々の実施形態では、ハーネス取り付け部２００およびアンカフラップ取り付け部２１０は、互いに係合され、ハーネス１２０を腰ベルトアンカ部分１６０に固定し得る。ハーネス取り付け部２００およびアンカフラップ取り付け部２１０は、当技術分野において現在公知であるか、または今後説明されるかどうかにかかわらず、任意の留め手段を備え得ることを理解されたい。アンカフラップ取り付けカバー２２０は、ハーネス取り付け部２００およびアンカフラップ取り付け部２１０が互いから非意図的に係合解除されるいかなる傾向からも防護し、装着者または子供を挟むこと、または擦過することから保護し得る。
【００４６】
アンカフラップ取り付け部２１０は、帯ひもまたは当技術分野において現在公知である、もしくは今後説明される任意の他の締結機構によって、アンカフラップ１９０に留められ得る。
【００４７】
図３は、アンカフラップ取り付け部２１０とのハーネス取り付け部２００の係合に先立ってハーネスループ１２２内に配置される幼児３００を描写する。動作時、ハーネスループ１２２は、幼児３００の胴体の周囲に設置され得る。繋留ライン１２６が、次いで、往復動ループ１２４を通過させられ、したがって、図３に示されるように、幼児３００を取り囲み得る。幼児３００は、次いで、チャイルドキャリア内に設置され得、ハーネス取り付け部２００が、アンカフラップ取り付け部２１０等の取り付け点に接続され得る。他の使用変形例も、存在し得る。例えば、ハーネスループ１２２は、幼児３００に対して設置される前に、ハーネス取り付け部２００を往復動ループ１２４を通して設置することによって、形成され得る。ハーネス取り付け部２００は、幼児３００をハーネスループ１２２の中に設置することに先立って、アンカフラップ取り付け部２１０または他の取り付け点に取り付けられ得る。
【００４８】
幼児３００がハーネスループ１２２によって取り囲まれると、繋留ライン１２６は、幼児３００に適合するように調節され得る。繋留ライン１２６は、子供の胴体と同一サイズに調節される必要はなく、過度に緩い適合を防止するために調節されることのみを必要とし得る。繋留ライン１２６の再調節は、必要に応じて、子供がキャリア内に居る間に行われ得る。
【００４９】
図４は、幼児３００をチャイルドキャリア４２０の装着者４００に繋ぎ留めるためのアンカフラップ取り付け部２１０とのハーネス取り付け部２００の係合後のハーネスループ１２２内に配置される幼児３００を描写する。図４は、アンカフラップ帯ひも４３０も示し、ンカフラップ帯ひも４３０は、アンカフラップ取り付け部２１０をアンカフラップ１９０に固定するために、アンカフラップ取り付け部２１０に取り付けられている。動作時、子供は、以下のように、装着者に繋ぎ留められ得る。アンカフラップ取り付け部２１０が、ハーネス取り付け部２００に係合し得る。繋留ライン１２６が、幼児３００を取り囲み、アンカフラップ取り付け部２１０に取り付けられ得る。そして、アンカフラップ取り付け部２１０が、ハーネス取り付け部２００に取り付けられ得る。ハーネス取り付け部２００が、アンカフラップ１９０に取り付けられたアンカフラップ帯ひも４３０に取り付けられる。アンカフラップ１９０が、装着者４００に取り付けられたチャイルドキャリア４２０に取り付けられる。したがって、幼児３００は、装着者４００に繋ぎ留められ得る。
【００５０】
アンカフラップ１９０が装着者とキャリアの腰バンドとの間で下方にスライドすることを防止するために（例えば、アンカフラップがハーネスに取り付けられないとき）、楔４４０が、アンカフラップ１９０に取り付けられ得る。一実施形態では、楔４４０は、三角形外形を有し得る。楔４４０は、発泡体材料等の任意の好適な材料を備え得る。
【００５１】
図５は、一実施形態による、チャイルドキャリア５３０の腰バンド５２０への腰ベルトアンカ部分１６０の係合に先立った、チャイルドキャリアハーネスデバイスおよびシステムを示す。チャイルドキャリア５３０は、チャイルドキャリア腰ベルト５００と、チャイルドキャリア腰バンド５２０と、チャイルドキャリア腰バンド留め具５２５と、背中ストラップ５３５と、肩ストラップ５４０とを備え得る。アンカ舌状部１６２は、チャイルドキャリア腰バンド５２０への腰ベルトアンカ部分１６０のその後の巻き付け固着係合（例えば、図６に描写されるように）のためにチャイルドキャリア腰バンド５２０の背後に通され得る。代替として、アンカ舌状部１６２は、チャイルドキャリア腰ベルト５００への腰ベルトアンカ部分１６０のその後の巻き付け固着係合のためにチャイルドキャリア腰ベルト５００の背後に通され得る。
【００５２】
図５に示されるように、一実施形態では、アンカ舌状部１６２は、腰バンド５２０の背後に通され得る。そして、アンカ舌状部１６２が、腰バンド５２０の正面の周囲に巻き付けられる。アンカ締まり嵌めスナップ１６４が、下側アンカ締まり嵌めスナップ１６６または上側アンカ締まり嵌めスナップ１６８のいずれかに取り付けられる。アンカ舌状部面ファスナー材料１８０は、下側アンカ面ファスナー材料１８２または上側アンカ面ファスナー材料１８４と係合され得る。そして、アンカフラップ１９０が、チャイルドキャリア腰ベルト５００の背後に巻き付けられ得る。腰ベルトアンカ部分１６０は、したがって、図６に示されるように、チャイルドキャリア５３０上に据え付けられる。
【００５３】
図６から分かるように、アンカフラップ１９０は、チャイルドキャリア腰ベルト５００の周囲に巻き付き、チャイルドキャリア腰ベルト５００の両側の周囲に延び得る。
【００５４】
図７は、一実施形態による、幼児３００がチャイルドキャリア５３０の装着者４００に繋ぎ留められているチャイルドキャリアのためのハーネスシステムを示す。幼児３００は、チャイルドキャリア５３０と装着者４００との間のチャイルドキャリア５３０内に設置されている。アンカフラップ１９０は、チャイルドキャリア腰ベルト５００の上方に延び得る。ハーネス１２０は、幼児３００を取り囲み、ハーネス取り付け部２００を介して、アンカフラップ取り付け部２１０に接続される。取り付けカバー締まり嵌めスナップ２２５は、上側アンカ締まり嵌めスナップ１７０に係合され、ハーネス取り付け部２００およびアンカフラップ取り付け部２１０を封入し得る。繋留ライン１２６は、幼児３００に適合するための任意の点において調節され得る。
【００５５】
図７は、装着者の身体の正面上におけるキャリアと、装着者に面した幼児とを示すが、チャイルドキャリアハーネスシステムは、限定ではないが、装着者に向いているか、または逆に向いているかのいずれかにある子供とともに、正面搬送、側面搬送、および背面搬送を含む他の構成で使用されることもできる。チャイルドキャリア５３０は、チャイルドキャリアハーネスシステムと共に使用され得るチャイルドキャリアの一実施例にすぎない。多くの他のチャイルドキャリアが、本明細書に開示されるチャイルドキャリアのためのハーネスシステムを利用し得る。
【００５６】
前述の明細書では、本開示は、具体的実施形態を参照して説明された。しかしながら、当業者が理解するように、本明細書に開示される種々の実施形態は、本開示の精神および範囲から逸脱することなく、種々の他の方法において修正または別様に実装されることができる。故に、本説明は、例証的と見なされるべきであり、チャイルドキャリアハーネスの種々の実施形態を作製および使用する様式を当業者に教示する目的のためのものである。本明細書に図示および説明される本開示の形態は、実施形態として捉えられるべきであることを理解されたい。均等物要素または材料が、本明細書に図示および説明されるものの代用とされ得る。さらに、本開示のある特徴は、他の特徴の使用から独立して利用され得、全て、本開示の本説明の利点を享受した後、当業者に明白となるであろう。
【図１】
2018510728.tif 000003
【図２】
2018510728.tif 000004
【図３】
2018510728.tif 000005
【図４】
2018510728.tif 000006
【図５】
2018510728.tif 000007
【図６】
2018510728.tif 000008
【図７】
2018510728.tif 000009
【国際調査報告】
2018510728.tif 000010